(57)【要約】【課題】  注出キャップが計量キャップの回転に対して共回りしたり、不正確な螺合によるよじれが生じたりすることがなく、注出キャップが容器本体に確実に密封固定された液注出容器を提供すること。【解決手段】  注出キャップは、開口部を形成する底壁と、開口部に連通するスリットが設けられた注出筒と、底壁の周縁に連設し液回収空間を形成する筒状壁とからなる注出口部と、注出口部の外周側に連設して容器本体の口部に嵌合する嵌合筒部と、計量キャップと螺合する上部ねじ筒とからなり、嵌合筒部には、容器本体の口部外周との間に環状嵌合部および軸方向嵌合部が設けられており、計量キャップは、弱化部を介して連結され嵌合筒部外周面に嵌装される封緘リングを有し、封緘リングは、開封時に嵌合筒部又は容器本体に係合可能な弾性フック部を具えていることを特徴とする。【選択図】  図１
2015124002.tif 000002
【特許請求の範囲】
【請求項１】
容器本体の口部に、容器内部と連通する開口部と注出筒とを具えた注出キャップを取着し、その上部に計量キャップを螺合装着した液注出容器において、
注出キャップは、開口部を形成する底壁と、開口部に連通するスリットが設けられ底壁に立設された注出筒と、底壁の周縁に連設し注出筒の周囲に液回収空間を形成する筒状壁とからなる注出口部と、注出口部の外周側に連設して容器本体の口部に嵌合する嵌合筒部と、計量キャップと螺合する上部ねじ筒とからなり、
嵌合筒部には、容器本体の口部外周との間に環状嵌合部および軸方向嵌合部が設けられており、
計量キャップは、計量キャップ本体と、計量キャップ本体と破断可能な弱化部を介して連結され、嵌合筒部外周面に嵌装される封緘リングとからなり、
封緘リングは、開封時に嵌合筒部又は容器本体に係合可能な弾性フック部を具えていることを特徴とする液注出容器。
【請求項２】
嵌合筒部の環状嵌合部は、口部外周に形成された環状凸条または環状凹条の少なくともいずれかと嵌合するそれぞれ環状凹条または環状凸条であり、軸方向嵌合部は、口部外周の周方向の少なくとも一個所に軸方向に設けられたリブまたは溝と嵌合する、それぞれ溝またはリブが設けられていることを特徴とする請求項１記載の液注出容器。
【請求項３】
弾性フック部は、封緘リング下端部内周側に設けられた折り返し片であり、封緘リングの外周壁の内周側下部には、計量キャップを注出キャップに組み付ける際に、弾性フック部を収容可能な収納凹所が設けられていることを特徴とする請求項１または２記載の液注出容器。
【請求項４】
注出キャップは、シール性の高い軟質材からなることを特徴とする請求項１〜３のいずれかに記載の液注出容器。
【発明の詳細な説明】
【技術分野】
【０００１】
本発明は、キャップを具えた液注出容器に関し、とくに上部に計量キャップを装着し注出筒と液回収部とを具えた注出キャップを容器本体の口部に装着した液注出容器に関するものである。
【背景技術】
【０００２】
液体洗剤容器などでは、液を計量しやすく、かつ液の詰め替えが容易な注出キャップを装着した液注出容器が用いられている。
このような液注出容器として、容器本体の口部に、注出口から液を案内する注出筒と、液を容器本体内に回収する液回収部とを具えた注出キャップを取着し、その上部に計量キャップを装着したものが従前より知られており、液回収および液詰め替えのために、注出キャップの傾斜した底面に、スリットを設けた注出筒を立設し、底面に注出口とともに液回収部や空気置換部を設けたものもよく知られている（例えば特許文献１参照）。
【先行技術文献】
【特許文献】
【０００３】
【特許文献１】特開平９−７７１１１号公報
【発明の概要】
【発明が解決しようとする課題】
【０００４】
このような従来の洗剤容器等では、容器本体は通常、高密度ポリエチレン（ＨＤＰＥ）やポリエチレンテレフタレート（ＰＥＴ）などの比較的剛性の高い素材からなる一方、通常ポリプロピレン（ＰＰ）などからなる注出キャップは、熱に対して経時的な変形が生じることがあるため、装着された容器が加温状態で長期保存されるなどの特定の条件下では、容器本体とのシール性が低下し容器の密封性を損なうことがあった。
【０００５】
そこで、注出キャップを低密度ポリエチレン（ＬＤＰＥ）や中密度ポリエチレン（ＭＤＰＥ）などの軟質材で構成し、容器本体とのシール性を向上させることが考えられる。
しかしながら、上記特許文献１記載の注出キャップＢのように、容器本体Ｃにネジ部２で螺合締結しただけのものでは、注出キャップＢを軟質材とした場合、計量蓋Ａの回転により注出キャップが共回りして容器本体Ｃから外れてしまったり、使用者が計量蓋Ａを正確に螺合させないまま無理に回転させることによってよじれが生じ、やはり注出キャップＢが容器本体Ｃから外れてしまうという問題があった。
【０００６】
本発明は、上記問題を解決することを課題とし、注出キャップが計量キャップの回転に対して共回りしたり、また、計量キャップの不正確な螺合によってよじれが生じたりすることがなく、注出キャップが容器本体に確実に密封固定された液注出容器を提供することを目的とする。
【課題を解決するための手段】
【０００７】
本発明は、上記の課題を解決するため、液注出容器として、容器本体の口部に、容器内部と連通する開口部と注出筒とを具えた注出キャップを取着し、その上部に計量キャップを螺合装着した液注出容器において、注出キャップは、開口部を形成する底壁と、開口部に連通するスリットが設けられ底壁に立設された注出筒と、底壁の周縁に連設し注出筒の周囲に液回収空間を形成する筒状壁とからなる注出口部と、注出口部の外周側に連設して容器本体の口部に嵌合する嵌合筒部と、計量キャップと螺合する上部ねじ筒とからなり、嵌合筒部には、容器本体の口部外周との間に環状嵌合部および軸方向嵌合部が設けられており、計量キャップは、計量キャップ本体と、計量キャップ本体と破断可能な弱化部を介して連結され、嵌合筒部外周面に嵌装される封緘リングとからなり、封緘リングは、開封時に嵌合筒部又は容器本体に係合可能な弾性フック部を具えていることを特徴とする構成を採用する。
【０００８】
液注出容器の実施形態として、嵌合筒部の環状嵌合部は、口部外周に形成された環状凸条または環状凹条の少なくともいずれかと嵌合するそれぞれ環状凹条または環状凸条であり、軸方向嵌合部は、口部外周の周方向の少なくとも一個所に軸方向に設けられたリブまたは溝と嵌合する、それぞれ溝またはリブが設けられていることを特徴とする構成、また、弾性フック部は、封緘リング下端部内周側に設けられた折り返し片であり、封緘リングの外周壁の内周側下部には、計量キャップを注出キャップに組み付ける際に、弾性フック部を収容可能な収納凹所が設けられていることを特徴とする構成、さらに、注出キャップは、シール性の高い軟質材からなることを特徴とする構成を採用する。
【発明の効果】
【０００９】
本発明の液注出容器は、容器本体の口部に装着される注出キャップの嵌合筒部と、容器本体の口部との間に環状嵌合部および軸方向嵌合部が設けられ、該嵌合筒部の外周面に、計量キャップに破断可能に連結された封緘リングが嵌装されているから、注出キャップにシール性を高めるための軟質材を使用しても、計量キャップの回転につれて共回りしたり、また、計量キャップの不正確な螺合によってよじれが生じたりすることがなく、注出キャップが容器本体に確実に密封固定された状態を保つことができる。
【図面の簡単な説明】
【００１０】
【図１】液注出容器の実施例の一部断面側面図である。
【図２】液注出容器の実施例の容器本体を示す図であり、（ａ）は上面図，（ｂ）は半断面正面図である。
【図３】液注出容器の実施例の注出キャップを示す図であり、（ａ）は上面図、（ｂ）は一部断面側面図、（ｃ）は図（ｂ）の要部拡大図である。
【図４】液注出容器の実施例の注出キャップの下面図である。
【図５】液注出容器の実施例の計量キャップを示す図であり、（ａ）は一部断面側面図、（ｂ）は下面図、（ｃ）は図（ａ）の要部拡大図である。
【図６】液注出容器の実施例の使用態様を示す図であり、（ａ）は計量キャップを組み付ける際の作業動作を示す図であり、（ｂ）は開封直後の封緘リングが切り離された状態を示す図である。（ｃ）は図（ａ）の要部拡大図である。
【発明を実施するための形態】
【００１１】
次に、本発明の液注出容器について、実施例を示した図面を参照して説明する。
【実施例】
【００１２】
図１〜６において、Ａは容器本体、Ｂは注出キャップ、Ｃは計量キャップである。
【００１３】
図１、２に示すように、容器本体Ａには、円筒状の口部１の下部にネックリング２が形成され、さらに肩部３に連続している。
口部１には、上部から嵌合凸条４に続く係止凹条５が設けられ、その下部には軸方向に突出する縦リブ６が周方向に複数設けられ、それぞれ容器本体側の環状嵌合部、軸方向嵌合部を形成している。
複数の縦リブ６の配置は、少なくとも周方向１個所で縦リブ６間の間隙が広くなった位置決め溝７が形成されるように設定されている。
【００１４】
図３、４に示すように、注出キャップＢは、内容液が流通する開口部Ｐが形成された底壁１０と、開口部Ｐに連通する軸方向のスリット１２が設けられ、開口部Ｐ周縁の底壁１０に立設された注出筒１１と、底壁１０の周縁に連設し注出筒１１の周囲に液回収空間Ｓを形成する筒状壁１３とからなる注出口部１４と、注出口部１４の外周側に連設して容器本体Ａの口部１に嵌合する嵌合筒部１５と、計量キャップＣと螺合する上部ねじ筒１６とからなっている。
注出キャップＢは、本実施例では低密度ポリエチレン等のシール性のよい軟質材から成形されているが、本発明はこれに限定されるものではない。
【００１５】
底壁１０は、筒状壁１３の下端の所定円弧範囲に連設されて内方に傾斜する傾斜筒壁１８と、傾斜筒壁１８の下縁の最上部１８ａから最下部１８ｂまで延びるように連設して傾斜した傾斜底壁１９とからなり、開口部Ｐは、傾斜底壁１９に設けられ、傾斜筒壁１８と傾斜底壁１９との共通の最下部２０（１８ｂ）まで形成され、最下部２０側に延出開口部Ｐａが突出して設けられている。
【００１６】
注出筒１１は、延出開口部Ｐａを除く開口部Ｐの周縁で傾斜底壁１９から上方に突出し上部ねじ筒１６より高く形成され、延出開口部Ｐａに接して開口するスリット１２が軸方向に設けられ、上方に向けてスリット１２の間隙が広がるように形成されている。
傾斜筒壁１８，傾斜底壁１９からなる底壁１０と、底壁１０の周縁に連設する筒状壁１３と、注出筒１１の基部外周面により形成される液回収空間Ｓは、延出開口部Ｐａで容器内部と連通し、スリット１２で注出筒１１内と連通している。
【００１７】
嵌合筒部１５は、筒状壁１３と連設する上壁２５と、上壁２５の下部には内周側に内筒２６，外周側に外筒２７が垂設され、容器本体Ａの口部１との嵌合部を形成している。
外筒２７の内周面には、口部１の嵌合凸条４が嵌合する嵌合凹条２８，係止凹条５に嵌合する係止凸条２９が形成され、口部１外周との間に環状嵌合部を形成している。
このように本実施例では、容器本体Ａの嵌合凸条４に続く係止凹条５に注出キャップＢの嵌合凹条２８、係止凸条２９が嵌合しているので、嵌合凸条４と係止凸条２９とで確実に係合するとともに密封性を高めているが、必ずしも容器本体Ａと注出キャップＢとにそれぞれ凸条と凹条の両方を設ける必要はなく、いずれか一方だけでもよい。
【００１８】
係止凸条２９の下方には、軸方向に延びる縦溝３０が周方向に複数設けられており、縦リブ６と嵌合する軸方向嵌合部を形成している。
複数の縦溝３０の周方向配置は、容器本体Ａの位置決め溝７に対応する部位で縦溝３０の間が幅広になって位置決めリブ３１が形成されるように設定され、位置決めリブ３１が位置決め溝７に嵌合して容器本体Ａと注出キャップＢとの周方向の位置合わせを行う機能を果たす。
【００１９】
なお、本実施例では、軸方向嵌合部が環状嵌合部の下方に配置されているが、両嵌合部の位置関係はこれに限定されるものではなく、逆に軸方向嵌合部が環状嵌合部の上方に配置されていてもよい。
また、本実施例では、容器本体Ａ側に縦リブ６を設け、注出キャップＢ側に縦溝３０を設けているが、逆に容器本体Ａ側に縦溝を、注出キャップＢ側に縦リブを設けてもよく、さらに、位置決めのための位置決め溝７，位置決めリブ３１は必ずしも必要ではなく、縦リブ６と縦溝３０は、それぞれ少なくとも周方向１個所にあればよい。
【００２０】
上部ネジ筒１６は、嵌合筒部１５の上壁２５の上部に立設され、外周には計量キャップＣと螺合するおねじ部３２を具えている。
なお、注出口部１４の詳細形状は、本実施例におけるこれらの構成に限定されるものではなく、スリット１２を有する注出筒１１と底壁１０と筒状壁１３とによって開口部Ｐに連通する液回収空間Ｓが形成されるものであれば、種々の変更が可能である。
【００２１】
図５に示すように、計量キャップＣは、頂壁４０と、頂壁４０の裏面から注出キャップＢの液回収空間Ｓまで垂設された液案内筒４１と、頂壁４０外周縁で連設し注出キャップＢの上部ねじ筒１６に螺合する嵌合ねじ筒４２とからなる計量キャップ本体３９と、嵌合ねじ筒４２の下端に破断可能な弱化部４３を介して連結された封緘リング４４とからなっている。
すくなくとも計量キャップ本体３９は、計量のために透明または半透明の材質で成形されることが望ましい。
また、本実施例の頂壁４０はドーム状をなしているが、これに限定されるものではない。
【００２２】
液案内筒４１は、計量した液を注出する際の案内部として機能するとともに、計量時に付着した液を注出口部１４の液回収空間Ｓに戻し、容器内に回収する役割を果たす。
嵌合ねじ筒４２は、頂壁４０の外周縁にフランジ状に外方に張り出した環状壁４７と、環状壁４７の内周側に垂設された内周壁４８と、環状壁４７の外周側に垂設された外周ねじ壁４９とからなり、外周ねじ壁４９の内周には上部ねじ筒１６のおねじ部３２に螺合するめねじ部５０が形成されている。
また、環状壁４７の内面には上部ねじ筒１６の上面に当接して密封するシール突条５１が形成されている。
【００２３】
弱化部４３は、外周ねじ壁４９の下端に形成されたフランジ部５３の下部と、封緘リング４４の上端部との間に形成された薄肉部であり、周方向複数個所に貫通孔５４が形成されて、破断可能な薄肉リブ５５で外周ねじ壁４９と封緘リング４４とを連結している。
【００２４】
封緘リング４４は、不用意な開封やいたずらを防いで未開封状態を保持する役割を果たすとともに、内周面が注出キャップＢの外筒２７の外周面に嵌装して、嵌合筒部１５が変形して容器本体Ａから外れることを防止する役割を果たす。
封緘リング４４の下部には、内周側に収納凹所５７を形成する薄肉部５８が形成され、薄肉部５８の下端部の周方向複数個所には、内側上方に向かって折り返すように突出した折り返し片５９が設けられている。
【００２５】
収納凹所５７は、弾性を有する折り返し片５９が折りたたまれて収納し得る程度の容量が確保されている。
折り返し片５９は、計量キャップＣが注出キャップＢに締め込まれたとき、内周縁上端部が注出キャップＢの外筒２７の下端ないしは下端より下方に位置するようになり、開封時には外筒２７の下端に係合して封緘リングの上昇を阻止する弾性フック部として機能する。
次に、本実施例の使用態様と作用効果について説明する。
【００２６】
まず、図６（ａ）に示すように、注出キャップＢに計量キャップＣを螺合して組み付ける。
おねじ部３２にめねじ部５０が螺入して、図中矢印のように計量キャップＣが下降していくと、封緘リング４４の下端部に設けられた折り返し片５９が外筒２７（嵌合筒部１５）の外周面に接するようになり、図６（ｃ）に示すように、折り返し片５９は収納凹所５７に折りたたまれるように弾性変形して収納され、組み付け作業の障害にはならない。
【００２７】
さらに、封緘リング４４の内周面が外筒２７の外周面にゆるやかに嵌合するようになり、環状壁４７の下面が上部ねじ筒１６の上面に当接するところまで両ねじ部の螺合が進むと、注出キャップＢと計量キャップＣの組み付けが完了する。
このとき同時に、折り返し片５９は、その内周縁上端が外筒２７の下端より下方に位置するようになり、その弾性力により元の形状に復帰して内側上方に突出する。
また、環状壁４７の下面に設けられたシール突条５１が、上部ねじ筒１６の上面に強く圧接され、キャップ内を密封する。
なお、本実施例では、折り返し片５９は開封時に外筒２７の下端部に係合するようにしたが、容器本体Ａの側に折り返し片５９との係合部を設けてもよい。
【００２８】
計量キャップＣが組み付けられた注出キャップＢは、位置決めリブ３１が容器本体Ａの位置決め溝７と合致するように周方向に位置決めされ、打栓されて、縦溝３０、位置決めリブ３１がそれぞれ縦リブ６、位置決め溝７に嵌合するとともに嵌合凹条２８、係止凸条２９がそれぞれ嵌合突条４、係止凹条５に嵌合して、容器本体Ａとの周方向および軸方向の相対移動を阻止して嵌合される（図１参照）。
このとき、外筒２７は容器本体Ａに嵌合することによってわずかに外方に張り出し、外筒２７の外周面にゆるやかに嵌装されていた封緘リング４４は、外筒２７の外周面に接して拘束するようになり、容器本体Ａとの前記環状嵌合部、軸方向嵌合部の係合を確実に保持する。
【００２９】
キャップが装着された本実施例の液注出容器を使用するには、計量キャップＣを螺脱方向に回転して、弱化部４３を破断し開封する。
図６（ｂ）に示すように、計量キャップＣを螺脱方向に回転すると、嵌合筒部１５は環状嵌合部、軸方向嵌合部によって容器本体Ａに拘束されているため、計量キャップＣの上昇とともに折り返し片５７が外筒２７の下端に係合するようになり、その後の封緘リング４４の上昇を阻止する。
また、外筒２７の外周面との摩擦により封緘リング４４の回転も抑制され、弱化部４３の薄肉リブ５５が破断するようになる。
弱化部４３が破断すると、外筒２７の外周に封緘リング４４を残したまま、計量キャップＣが螺脱上昇して、注出キャップＢから取り外される。
【００３０】
計量キャップＣが取り外された液注出容器を、注出筒１１の先端を下方にして傾ければ、内容液が開口部Ｐから流出し、注出筒１１に案内されて、計量キャップＣの液案内筒４１内に注出し、計量することができる。
計量キャップＣ内の計量された内容液は、液案内筒４１に案内されて、所定個所に注出され、その後、計量キャップＣは再度注出キャップＢに螺着されて液注出容器を密封することができる。
【００３１】
この際、延出開口部Ｓは、開口部Ｐからの内容液注出時には気液置換機能を果たして注出液の脈動を防ぐとともに、計量キャップＣを再度装着したとき、計量キャップＣに付着していた液や注出筒１１の外周側に残留した液を、傾斜筒壁１８，傾斜底壁１９を介して容器内に回収する役割を果たす。
また、液注出容器の内容液がなくなり、パウチ容器などの詰め替え用容器から液を注入する際には、スリット１２が上方に向かって広がっているので開口部Ｐに注入しやすく、底壁１０と筒状壁１３によって大きな液回収空間Ｓが確保されているので、容易に液の詰め替えをすることができる。
【００３２】
外筒２７の外周に残された封緘リング４４は、外筒２７の変形を阻止し容器本体Ａとの環状嵌合部および軸方向嵌合部の嵌合を保持するので、注出キャップＢがシール性のよい軟質材からなるものであっても、使用者の無理な回転操作でよじれが生じるようなことがなく、注出キャップＢが容器本体Ａから外れるようなことがない。
【産業上の利用可能性】
【００３３】
本発明の液注出容器は、液を計量しやすく、かつ液の詰め替えが容易であるとともに、速やかに付着液を回収して密封性がよく、清潔に使用することができるので、液体洗剤や漂白剤などの容器としてはもちろんのこと、その他液状の薬品や調味料などの容器にも好適に利用できる。
【符号の説明】
【００３４】
Ａ            容器本体
Ｂ            注出キャップ
Ｃ            計量キャップ
Ｐ            開口部
Ｐａ          延出開口部
Ｓ            液回収空間
１            口部
２            ネックリング
３            肩部
４            嵌合凸条（環状嵌合部）
５            係止凹条（環状嵌合部）
６            縦リブ（軸方向嵌合部）
７            位置決め溝（軸方向嵌合部）
１０            底壁
１１            注出筒
１２            スリット
１３            筒状壁
１４            注出口部
１５            嵌合筒部
１６            上部ねじ筒
１８            傾斜筒壁
１９            傾斜底壁
２０            最下部
２５            上壁
２６            内筒
２７            外筒
２８            嵌合凹条（環状嵌合部）
２９            係止凸条（環状嵌合部）
３０            縦溝（軸方向嵌合部）
３１            位置決めリブ（軸方向嵌合部）
３２            おねじ部
３９            計量キャップ本体
４０            頂壁
４１            液案内筒
４２            嵌合ねじ筒
４３            弱化部
４４            封緘リング
４７            環状壁
４８            内周壁
４９            外周ねじ壁
５０            めねじ部
５１            シール突条
５３            フランジ部
５４            貫通孔
５５            薄肉リブ
５７            収納凹所
５８            薄肉部
５９            折り返し片（弾性フック部）
【図１】
2015124002.tif 000003
【図２】
2015124002.tif 000004
【図３】
2015124002.tif 000005
【図４】
2015124002.tif 000006
【図５】
2015124002.tif 000007
【図６】
2015124002.tif 000008